(57)【要約】【課題】移送に適した核分裂性物質用容器（１０）を提供する。【解決手段】  レセプタクル（１２）及び包囲体（１４）は、外チャンバ（１８）によって取り囲まれた内チャンバ（１６）を画成する。閉鎖機構（２０）がレセプタクル（１２）を包囲体（１４）に取り付け、これらの間をシールする。核分裂性物質を内チャンバ（１６）に導入したりここから取り出したりできるようにするために二つの反対側の開口部（２２）が容器（１０）の頂部に設けられている。これらの開口部（２２）はフランジ（２４）によってシールドされており、ベント付きキャップが開口部（２２）をシールする。環状容器（１０）は耐衝撃性である。外チャンバ（１８）は、内チャンバ（１６）を保護するための緩衝器として作用する。
2006527377.tif 000002
【特許請求の範囲】
【請求項１】
環状ベッセルを含む核分裂性物質用容器（１０）において、
前記環状ベッセル内には複数の壁（１２、１４）が設けられ、隣接した環状内チャンバ（１６）及び環状外チャンバ（１８）を画成し、前記環状外チャンバ（１８）は前記環状内チャンバ（１６）を取り囲み、核分裂性物質を前記環状内チャンバ（１６）に導入したりここから取り出したりできるようにするために少なくとも一つのシール可能な開口部（２２）が設けられ、前記環状外チャンバ（１８）は、前記環状内チャンバ（１６）が破損した場合に核分裂性物質を収容するように作用する、ことを特徴とする容器（１０）。
【請求項２】
第１環状ベッセル（１４）及び第２環状ベッセル（１２）を含み、前記第１環状ベッセル（１４）の直径は前記第２環状ベッセル（１２）よりも大きい、核分裂性物質用容器（１０）において、
前記第２環状ベッセル（１２）は前記第１環状ベッセル（１４）内に配置され、隣接した環状内チャンバ（１６）及び環状外チャンバ（１８）を画成し、前記環状外チャンバ（１８）は前記環状内チャンバ（１６）を取り囲み、核分裂性物質を前記環状内チャンバ（１６）に導入したりここから取り出したりできるようにするために少なくとも一つのシール可能な開口部（２２）が設けられ、前記環状外チャンバ（１８）は、前記環状内チャンバ（１６）が破損した場合に核分裂性物質を収容するように作用する、ことを特徴とする容器（１０）。
【請求項３】
請求項２に記載の容器（１０）において、前記第１環状ベッセル（１４）及び前記第２環状ベッセル（１２）にはフランジ（１５、１３）が設けられており、これらのフランジは、係合してこれらのベッセル（１４、１２）を互いに対して配置する、ことを特徴とする容器（１０）。
【請求項４】
請求項３に記載の容器（１０）において、前記フランジ（１５、１３）は周方向に延びている、ことを特徴とする容器（１０）。
【請求項５】
請求項３又は４に記載の容器（１０）において、前記フランジ（１５、１３）は閉鎖機構（２０）によって係合状態に保持される、ことを特徴とする容器（１０）。
【請求項６】
請求項５に記載の容器（１０）において、前記閉鎖機構（２０）はシール（２１）を含む、ことを特徴とする容器（１０）。
【請求項７】
請求項５又は６に記載の容器（１０）において、前記閉鎖機構（２０）は、前記シール可能な開口部（２２）を取り巻いて延びている、ことを特徴とする容器（１０）。
【請求項８】
請求項７に記載の容器（１０）において、前記シール可能な開口部（２２）を取り巻いて延びる前記閉鎖機構（２０）の部分（２８）には、シーリングキャップ（２３）を配置できるようにねじが設けられている、ことを特徴とする容器（１０）。
【請求項９】
請求項８に記載の容器（１０）において、前記キャップ（２３）は通気される、ことを特徴とする容器（１０）。
【請求項１０】
請求項１乃至９のうちのいずれか一項に記載の容器（１０）において、核分裂性物質を前記環状内チャンバ（１６）に導入したりここから取り出したりできるようにするため、複数のシール可能な開口部（２２）が設けられている、ことを特徴とする容器（１０）。
【請求項１１】
請求項１０に記載の容器（１０）において、直径方向反対側の二つの開口部（１２）が設けられている、ことを特徴とする容器（１０）。
【請求項１２】
請求項１乃至１１のうちのいずれか一項に記載の容器（１０）において、別の盛り上がったフランジ（２４）が前記シール可能な開口部（２２）と隣接して設けられている、ことを特徴とする容器（１０）。
【請求項１３】
請求項５乃至８に従属する請求項１２に記載の容器（１０）において、前記別の盛り上がったフランジ（２４）は、前記閉鎖機構（２０）の一体の部分である、ことを特徴とする容器（１０）。
【請求項１４】
請求項１２又は１３に記載の容器（１０）において、前記別の盛り上がったフランジ（２４）には穴（２６）が設けられている、ことを特徴とする容器（１０）。
【請求項１５】
請求項１乃至１４のうちのいずれか一項に記載の容器（１０）において、チャンネル（２９）が前記環状ベッセルの外面に設けられている、ことを特徴とする容器（１０）。
【請求項１６】
請求項１乃至１５のうちのいずれか一項に記載の容器（１０）において、前記環状ベッセル（１２、１４）及び／又は前記内壁にリブ（２７）が設けられている、ことを特徴とする容器（１０）。
【請求項１７】
請求項１乃至１６のうちのいずれか一項に記載の容器（１０）において、ポリエチレンから形成されている、ことを特徴とする容器（１０）。
【請求項１８】
請求項１乃至１７のうちのいずれか一項に記載の容器（１０）において、型成形によって製造される、ことを特徴とする容器（１０）。
【請求項１９】
核分裂性物質用容器（１０）の製造方法であって、第１環状ベッセル（１４）の直径が前記第２環状ベッセル（１２）よりも大きい第１環状ベッセル（１４）及び第２環状ベッセル（１２）を製造する工程を含む、方法において、
前記第２環状ベッセル（１２）を前記第１環状ベッセル（１４）内に入れ子式に挿入し、隣接した環状内チャンバ（１６）及び環状外チャンバ（１８）を画成する工程、前記第１環状ベッセル（１４）及び前記第２環状ベッセル（１２）を互いに係止する工程、及び核分裂性物質の導入及び取り出しを可能にする、前記第２環状ベッセル（１２）内へのシール可能な開口部（２２）を形成する工程を含む、ことを特徴とする方法。
【請求項２０】
請求項１９に記載の方法において、前記第１環状ベッセル（１４）及び前記第２環状ベッセル（１２）は型成形される、ことを特徴とする方法。
【請求項２１】
請求項２０に記載の方法において、前記第１環状ベッセル（１４）及び前記第２環状ベッセル（１２）は、回転成形法を使用して型成形される、ことを特徴とする方法。
【請求項２２】
請求項１９乃至２２のうちのいずれか一項に記載の方法において、前記第１環状ベッセル（１４）及び前記第２環状ベッセル（１２）は、ポリエチレンから型成形される、ことを特徴とする方法。
【発明の詳細な説明】
【技術分野】
【０００１】
本発明は、核分裂性物質の貯蔵及び輸送に適した容器及びこのような容器の製造方法に関する。
【背景技術】
【０００２】
核分裂性物質を貯蔵するための容器は周知である。これらの容器は、核分裂性物質をできるだけ安全に貯蔵しなければならない。従って、核分裂性物質は酸と混合され、容器にリカー（ｌｉｑｕｏｒ）として貯蔵される。リカー中の酸は、核分裂性物質を減速するように作用し、容器に収容される核分裂性物質の質量を制限しなければならない。所与の容器内に収容された核分裂性物質が多過ぎる場合には、リカーは危険な放射線臨界放出状態になる。オペレータが所与の容器に多過ぎる核分裂性物質を収容した場合に事故が起こっている。
【０００３】
容器の核分裂性内容物による事故を防ぐため、容器の形状が調節されてきた。当該産業では、リカーが臨界になる危険をなくすか或いは小さくする容器の特定の形状が使用されている。これらの形状は、好都合な形状として周知である。
【０００４】
核分裂性リカーを処理施設で貯蔵するため、好都合な形状を持つ容器を使用する。しかしながら、設備での貯蔵空間が減少するに従って、核分裂性物質を設備内で運搬する必要が出てきている。リカーの運搬に使用される容器は、好都合な形状を備えていなければならず、耐衝撃性でなければならない。
【発明の開示】
【発明が解決しようとする課題】
【０００５】
本発明は、核分裂性物質の貯蔵に適しており且つ耐衝撃性であり、核分裂性物質を容器に入れて運搬できる改良容器を提供しようとするものである。
【課題を解決するための手段】
【０００６】
本発明によれば、核分裂性物質用容器は、環状内チャンバ及び環状外チャンバを画成する複数の壁を持つ環状ベッセルを有し、環状外チャンバは環状内チャンバを取り囲み、核分裂性物質を環状内チャンバに導入したりここから取り出したりできるようにするために少なくとも一つのシール可能な開口部が設けられている。
【０００７】
本発明の別の特徴によれば、核分裂性物質用容器は、第１環状ベッセル及び第２環状ベッセルを含み、第１環状ベッセルの直径は第２環状ベッセルよりも大きく、第２環状ベッセルは第１環状ベッセル内に配置され、環状内チャンバ及び環状外チャンバを画成し、外チャンバは内チャンバを取り囲み、核分裂性物質を環状内チャンバに導入したりここから取り出したりできるようにするために少なくとも一つのシール可能な開口部が設けられている。
【０００８】
容器内に二つの環状チャンバを設けることにより、容器を耐衝撃性にする。環状外チャンバは、核分裂性物質を収容した環状内チャンバを包囲し保護する。
製造を容易にするため、容器は二つの環状ベッセルを含むことができる。これらの二つの環状ベッセルにはフランジが設けられるようにでき、これらのフランジが係合し、第１及び第２の環状ベッセルを互いに対して配置する。好ましくは、これらのフランジは、周方向に延びており、閉鎖機構によって係合状態に保持される。
【０００９】
本発明の好ましい実施例では、閉鎖機構は、核分裂性物質が漏れないようにするシールを含む。閉鎖機構は、シール可能な開口部を取り巻いて延びており、この部分には、シーリングキャップを配置できるようにねじが設けられている。好ましくは、シーリングキャップはベント付きである。
【００１０】
核分裂性物質を環状内チャンバに導入したりここから取り出したりできるように複数のシール可能な開口部が設けられていてもよい。本発明の好ましい実施例では、直径方向反対側の二つのシール可能な開口部が設けられる。核分裂性物質は、環状内チャンバの複数の開口部を通して導入されるときに完全に混合される。更に、環状内チャンバ内に収容されたリカーを更に混合するため、これらの開口部を通して攪拌手段を挿入してもよい。
【００１１】
本発明の好ましい実施例では、シール可能な開口部と隣接して別の盛り上がったフランジが設けられる。これらのフランジは、衝撃を吸収することによってシール可能な開口部を保護するように作用する。
【００１２】
好ましくは、フランジは閉鎖機構の一体の部分であり、容器を持ち上げることができるように把手が設けられていてもよい。
核分裂性物質のドレンを行うことができるようにベッセルの外面にチャンネルが設けられていてもよい。更に、容器を強化するため、環状ベッセル及び／又は壁にリブが設けられていてもよい。
【００１３】
核分裂性物質用容器の製造方法は、第１環状ベッセルの直径が第２環状ベッセルよりも大きい第１環状ベッセル及び第２環状ベッセルを製造する工程、第２環状ベッセルを第１環状ベッセル内に入れ子式に挿入する工程、第１環状ベッセル及び第２環状ベッセルを互いに係止する工程、及び第２環状ベッセル内へのシール可能な開口部を形成する工程を含む。
【００１４】
好ましくは、第１環状ベッセル及び第２環状ベッセルはポリエチレンから型成形される。回転成形として周知の技術を使用してベッセルを製造してもよい。
次に、添付図面を参照して本発明を説明する。
【発明を実施するための最良の形態】
【００１５】
図１を参照すると、容器１０は環状ベッセルを含む。このベッセルは、図５に示すように、環状外包囲体１４内に収容された環状形状の内レセプタクル１２を含む。レセプタクル１２及び包囲体１４は、外チャンバ１８によって取り囲まれた内チャンバ１６を画成する。レセプタクル１２を包囲体１４に取り付け、これらの間をシールする閉鎖機構２０が設けられている。
【００１６】
容器１０の頂部には、二つの開口部２２が直径方向反対側に設けられている。これらの開口部２２により、リカー形態の核分裂性物質を内チャンバ１６に導入でき且つこのチャンバから取り出すことができる。容器内の核分裂性内容物を混合するため、開口部２２を通して攪拌器を挿入してもよい。複数の開口部２２の使用はまた、容器１０への導入時に核分裂性物質を完全に混合することを確実とする。ベント付きキャップ２３が開口部２２を図１に示すようにシールする。
【００１７】
容器１０は耐衝撃性である。外チャンバ１８は、内チャンバ１６を保護するための緩衝器として作用する。外チャンバ１８が破れても、内チャンバ１６の核分裂性の内容物は収容されたままである。外チャンバ１８は、更に、内レセプタクル１２が破損した場合に零れた核分裂性物質を収容するように作用する。
【００１８】
開口部２２を衝撃による損傷から保護するため、容器１０の頂部には二つの起立フランジ２４が設けられている。これらのフランジ２４は、容器１０の頂部の周囲に亘って延びており、開口部２２をシールドする。フランジ２４は一連の段部から形成されており、これらの段部は、衝突時に潰れるように設計されている。フランジ２４には、更に、容器１０を持ち上げるための把手として作用する穴２６が設けられている。
【００１９】
本発明の好ましい実施例では、容器１０は、線状中密度ポリエチレンから内レセプタクル１２及び外包囲体１４を型成形することによって製造される。しかしながら、非分解性で、リカーに対して耐性であり且つ耐衝撃性であれば、この他の材料を使用してもよいということは当業者には理解されよう。
【００２０】
図７は内レセプタクル１２及び外包囲体１４の型成形に使用される代表的な回転式円形コンベア３０即ちカラセルを示す。カラセル３０は、一つ又はそれ以上の金型３６を保持するキャリヤ３４を各々支持するスピンドルアーム３２を有する。主スピンドル３２が水平方向軸線を中心として回転し、同時にキャリヤ３４は垂直方向軸線を中心としても回転する。
【００２１】
計測された重量の熱可塑性粉体を冷えた金型３６内に置き、これをオーブンに入れる。金型３６を２３０℃乃至４００℃に加熱し、二つの方向にゆっくりと回転する。金型３６が回転するとき、金型３６の内面に亘ってポリマーコーティングが形成される。二つの回転軸線間の速度比は、金型３６の形状に従って算出され、サイクル長は壁厚に応じて３分間乃至１時間で変化する。金型３６を回転させたまま冷却チャンバに入れ、空気又は水の噴流（図示せず）によって冷却する。所定の形状をとると直ぐに金型を取り外すことができる。
【００２２】
回転成形によって構成要素を製造することの利点は、応力が実際上全く加わらないということである。これは、吹き込み成形のときの射出のように高い圧力に耐える必要がないためである。内レセプタクル１２及び外包囲体１４は、かくして、高圧プロセスを使用して型成形した構成要素と比べて、使用時に応力割れを生じ難い。
【００２３】
型成形後、環状内レセプタクル１２を環状外包囲体１４に入れ子式に収容する。内レセプタクル１２には成形されたフランジ１３が設けられる（図６参照）。成形されたフランジ１３は外包囲体１４の成形された対応するフランジ１５と係合する。これらのフランジ１３及び１５により、レセプタクル１２及び包囲体１４を互いに対して配置する。線状中密度ポリエチレンから型成形された閉鎖機構２０をフランジ１３及び１５上に置きそれらを通過させ、これらのフランジと係合させ、内レセプタクル１２と外包囲体１４とを互いに係止する。ネオプレンのシール２１を閉鎖機構２０と外包囲体１４の成形されたフランジ１５との間に配置し漏れが生じないようにする。閉鎖機構２０は、ベント付きキャップ２３を開口部２２に配置するねじを備えた起立部分２８を有する。開口部２２を保護する起立フランジ２４もまた、閉鎖機構２０の一体の部分として形成される。
【００２４】
容器１０のベースにはチャンネル２９が設けられている（図３参照）。核分裂性物質が誤って容器の中央に漏れた場合、チャンネル２９により、これが外に逃げるようにできる。
【００２５】
本発明の好ましい実施例では、容器は、二つの環状ベッセル、即ち内レセプタクル１２及び外包囲体１４から形成されているけれども、内チャンバ１６及び外チャンバ１８を画成する内壁を持つ一つの環状ベッセルを使用してもよいということは理解されよう。容器を強化するため、環状ベッセルの表面及び／又は内壁にリブ２７が設けられていてもよい。
【図面の簡単な説明】
【００２６】
【図１】本発明による容器の模写図である。
【図２】図１に示す容器の平面図である。
【図３】図１に示す容器の正面図である。
【図４】図１に示す容器の底面図である。
【図５】本発明による容器の断面図である。
【図６】図５の領域Ａの係止機構の拡大部分断面図である。
【図７】本発明による容器の製造に使用される機器の概略図である。
【符号の説明】
【００２７】
１０  容器
１２  内レセプタクル
１４  外包囲体
１６  内チャンバ
１８  外チャンバ
２０  閉鎖機構
２２  開口部
２３  ベント付きキャップ
２４  起立フランジ
２６  穴
【図１】
2006527377.tif 000003
【図２】
2006527377.tif 000004
【図３】
2006527377.tif 000005
【図４】
2006527377.tif 000006
【図５】
2006527377.tif 000007
【図６】
2006527377.tif 000008
【図７】
2006527377.tif 000009
【国際調査報告】
2006527377.tif 000010
2006527377.tif 000011
2006527377.tif 000012